(57)【特許請求の範囲】
【請求項１】
免疫測定を行う免疫測定部と血球計数測定を行う血球計数測定部とを備え、これら両測定部において同じ全血試料を用いると共に、免疫測定の結果を血球計数測定によって得られたヘマトクリック値を用いて補正するようにした全血血球免疫測定装置において、免疫測定用の試薬および全血試料を収容する試料受容セルの底部に流路を介して免疫測定用のフロー測光セルを接続し、当該フロー測光セルの出口側の流路に三方電磁弁を介して液移動用の定注器を接続し、免疫測定に先行して、定注器で試料受容セル内の反応液を試料受容セルとフロー測光セルとにわたって前後に往復移動させることにより反応液の攪拌を行うようにしたことを特徴とする全血血球免疫測定装置における反応液攪拌機構。
【発明の詳細な説明】
【０００１】
【発明の属する技術分野】
この発明は、免疫測定を行う免疫測定部と血球計数測定を行う血球計数測定部とを備え、これら両測定部において同じ全血試料を用いると共に、免疫測定の結果を血球計数測定によって得られたヘマトクリック値を用いて補正するようにした全血血球免疫測定装置における反応液攪拌機構に関する。
【０００２】
【従来の技術】
体内で起こる炎症の有無やその程度、その経過などを観察する手法として炎症マーカーがある。この炎症マーカーの代表的なものとしては、白血球数、血沈値、急性期蛋白、血清蛋白文画値、血清シアル酸などがあり、これらを組み合わせて測定し、炎症の診断に役立てられている。この中で、特に白血球数と急性期蛋白であるＣ−反応性蛋白（ＣＲＰ）の測定は、炎症や感染症の診断に有益であるが、これらを同時に測定する装置は従来は無く、前者は血球計数装置を、後者は免疫測定装置をそれぞれ用いて個別に測定されていた。
【０００３】
しかしながら、上記血球計数装置および免疫測定装置を用いて個別に測定を行う場合、測定に用いるサンプル（検体）は前者においては全血であり、後者においては主として血清である。そして、検体として全血を得る場合、抗凝固剤入りの状態とこれが無い状態で別々に採血する必要がある一方、血清は血液凝固までの時間待ちと遠心分離を行う必要があるため、前記手法は、小さな医院や診療所、遠隔地の診療所、休日診療所、緊急検査室などのように、専門の検査技術者を常時確保できない施設では不向きである。
【０００４】
これに対して、全血で測定できる免疫測定装置もあるが、全血を検体とした場合、目的の免疫測定項目が血球中に存在せず、血清・血漿中にのみ存在した場合、個体差の比較的大きなヘマトクリット値の変動分に起因する誤差が生ずることとなる。
【０００５】
【発明が解決しようとする課題】
上記の全血血球免疫測定装置は、従来技術のこのような問題点を解決するために、本発明者らが研究開発し、既に、特願平９−２７９９６３号として提案済みである。この全血血球免疫測定装置によれば、次の利点がある。
▲１▼免疫測定の結果を血球計数測定によって得られたヘマトクリック値を用いて補正するので、全血を検体としているにもかかわらず、精度の良い免疫測定が可能である。
▲２▼全血で血球計数と免疫項目の測定を同時に行えるため、検体の取扱いは全血のみでよく、血清分離の必要がないとともに、採血後短時間で測定に入ることができ、専門の検査技術者でなくても容易に測定を行うことができる。
▲３▼上記▲２▼の結果として、炎症や感染症の緊急および早期診断に特に有用であるとともに、小医院や診療所、遠隔地の診療所、休日診療所、緊急検査室などにおいても、所望の検査を行うことができる。
▲４▼プローブユニット部、演算・制御部および表示・出力装置などを血球計数測定と免疫測定とに共通して使用することができ、従来の個別に設けていたものに比べて共通化できる分だけコストダウンを図ることができる。
【０００６】
この発明は、上記の全血血球免疫測定装置を更に改良発展せしめたものであって、免疫測定に用いる液移動用の定注器を利用して、免疫測定用の試薬および全血試料を効率よく攪拌でき、装置構成のコンパクト化、簡略化に寄与する反応液攪拌機構を提供することを課題とする。
【０００７】
【課題を解決するための手段】
上記課題を解決するために、この発明では、免疫測定を行う免疫測定部と血球計数測定を行う血球計数測定部とを備え、これら両測定部において同じ全血試料を用いると共に、免疫測定の結果を血球計数測定によって得られたヘマトクリック値を用いて補正するようにした全血血球免疫測定装置において、反応液攪拌機構を次のとおりに構成している。即ち、免疫測定用の試薬および全血試料を収容する試料受容セルの底部に流路を介して免疫測定用のフロー測光セルを接続し、当該フロー測光セルの出口側の流路に三方電磁弁を介して液移動用の定注器を接続し、免疫測定に先行して、定注器で試料受容セル内の反応液を試料受容セルとフロー測光セルとにわたって前後に往復移動させることにより反応液の攪拌を行うようにしている。
【０００８】
上記構成の反応液攪拌機構によれば、三方電磁弁がフロー測光セルと定注器を連通させ、且つ、試料受容セルに免疫測定用の試薬および全血試料を収容した状態で、液移動用の定注器が複数回、摺動して、試料受容セル内の反応液を試料受容セルとフロー測光セルとにわたって前後に往復移動させると、試料受容セルと流路の接続部、フロー測光セルの入口および出口で、夫々、流路断面が変化しているので、反応液には、流路断面が変化するこれらの部位で乱流が生じ、攪拌が効率よく行われることになる。
【０００９】
また、試料受容セル内にプロペラ等の回転子を挿入して反応液の攪拌を行う場合であれば、回転子を洗浄するための手段や回転子を試料受容セルに出し入れする手段と、それらの設置スペースが必要である上、これらの駆動による機械的振動がフロー測光セルによる光学的測定に悪影響を及ぼす可能性が大きいが、上記の構成によれば、反応液を前後に往復移動させるだけであるから、機械的振動による悪影響がなく、しかも、免疫測定に用いる液移動用の定注器を利用して液の往復移動を行っており、定注器が免疫測定時の液移動と、攪拌時の液移動とに兼用されているので、装置構成のコンパクト化、簡略化が可能である。
【００１０】
【発明の実施の形態】
発明の実施の形態を図面を参照しながら説明する。図１〜図８は、この発明に係る反応液攪拌機構が採用された全血血球免疫測定装置の一例を示す。
【００１１】
まず、図２は、側面パネルを取り外した状態で示す全血血球免疫測定装置の斜視図であり、図３はこの全血血球免疫測定装置の全体の構成を概略的に示す図である。図４は全血血球免疫測定装置の要部を上方から見た図であり、図５は全血血球免疫測定装置の要部の構成を概略的に示す図である。
【００１２】
これらの図において、１は装置ケースで、その前面部２側には、検体としての全血３を収容した検体容器４をセットするための検体セット部５が内方に凹んだ状態で形成されている。６は、検体セット部５を開閉する扉７によって構成された測定キーであり、扉７を閉めることによりオン（スイッチＯＮ）となるように構成されている。前記扉７は、下端側を支点に前後方向へ揺動して開閉するように構成されており、扉７の内側には、サイズの異なる検体容器４を選択してセットできるように上面に複数の穴を形成した検体容器ホルダー８が上下軸芯周りで回転自在で且つ扉７と一体に前後方向へ揺動することが可能な状態に設けられている。
【００１３】
そして、装置ケース１の側面部９の下方には、前面部２に近い側から順に、免疫測定を行う免疫測定部１０と血球測定を行う血球計数測定部１１が前面側から見て一直線状に配置されているとともに、複数の電磁弁１２ａからなる電磁弁部１２が設けられている。また、側面部９の上方には、検体セット部５と血球計数測定部１１との間を、一直線上に配設された免疫測定部１０と血球計数測定部１１に沿うようにして直線的に移動するサンプリング機構としてのプローブユニット部１３が設けられている。
【００１４】
図３において、１４は定注器、１５は希釈液容器、１６は溶血試薬容器、１７は液排出用のポンプであり、これら１５〜１７はいずれも電磁弁部１２に接続されている。１８はポンプ１７に接続された廃液容器である。
【００１５】
前記免疫測定部１０は、この実施の形態においては、ラテックス免疫比濁法によってＣＲＰ（急性期蛋白であるＣ−反応性蛋白）を測定するように構成されている。すなわち、図３、図５において、１９は上面の開口した試薬受容セルであり、試料受容セル１９の底部には、両側に発光ダイオードからなる光照射部２０ａとフォトダイオードからなる光検出部２０ｂを備えたＣＲＰ測定用のフロー測光セル２０が流路２１を介して接続されている。当該フロー測光セル２０の出口側の流路２２には、三方電磁弁１２ｂを介して液移動用の定注器２３が接続されている。三方電磁弁１２ｂの下流側は前記電磁弁部１２を介して前記ポンプ１７に接続されている。２４，２５，２６はＣＲＰ測定に用いられる試薬を収容した試薬容器で、それぞれ、溶血試薬（以下、Ｒ１試薬という）、緩衝液（以下、Ｒ２試薬という）、抗ヒトＣＲＰ感作ラテックス免疫試薬（以下、Ｒ３試薬という）が収容されている。
【００１６】
前記試薬受容セル１９および試薬容器２４〜２６は、検体セット部５における検体容器４のセット位置に対して一直線状に配置され、これら１９〜２６は、ソレノイド２７によって上下方向に揺動する蓋２８によって一括して開閉されるように構成されている。また、２９は例えばペルチェ素子よりなる電子冷却器３０を備えたクーラーボックスで、図示例では試薬Ｒ２，Ｒ３の入った試薬容器２５，２６が収容されている。
【００１７】
また、前記定注器２３は、ＣＲＰ測定時に、試料受容セル１９内の反応液（免疫測定用の試薬および全血試料）をフロー測光セル２０へ流通させる作用を司るだけでなく、試料受容セル１９やフロー測光セル２０等とで、次のような反応液攪拌機構を構成している。すなわち、図１に示すように、試料受容セル１９に反応液が収容された状態で、定注器２３が、ＣＲＰ測定に先行して、数回、摺動することにより、試料受容セル１９内の反応液を試料受容セル１９とフロー測光セル２０とにわたって前後に往復移動させるように構成してある。
【００１８】
より詳しく説明すると、定注器２３は、その摺動ストロークが制御されるように構成されており、試料受容セル１９内に、Ｒ１試薬、Ｒ２試薬、および検体（全血）３が収容された時点で、それらの総量Ｌ1 に対応して設定されたストロークａだけ、定注器２３が数回（例えば、３回）、前記三方電磁弁１２ｂがフロー測光セル２０と定注器２３を連通させた状態において、摺動することにより、反応液を前後に往復移動させて、一回目の反応液の攪拌を行い、反応液にＲ３試薬が加えられた時点で、それらの総量Ｌ2 に対応して設定されたストロークｂ端まで定注器２３が数回（例えば、３回）、摺動することにより、反応液を前後に往復移動させて、二回目の攪拌を行うように構成してある。
【００１９】
尚、ＣＲＰ測定時には、定注器２３がストロークｂ端まで一回だけ摺動して、反応液をフロー測光セル２０に流通させるようになっている。定注器２３のストロークや流路２１、２２の長さは、定注器２３がストロークｂ端まで摺動した際、流路２１、２２内にある反応液の最前端Ｐが、三方電磁弁１２ｂよりも上流側（三方電磁弁１２ｂとフロー測光セル２０の間）に位置し、最後尾Ｑがフロー測光セル２０よりも上流側（図示の例では、流路２１内で且つ試料受容セル１９の出口近く）に位置するように設定されている。そして、この状態で、前記三方電磁弁１２ｂが流路の切り換えを行って、定注器２３を遮断すると共に、三方電磁弁１２ｂ前後の流路（フロー測光セル２０側の流路とポンプ１７側の流路）を連通させると、前記ポンプ１７が流路内の反応液を吸引して、廃液容器１８に排出するように構成してある。
【００２０】
この反応液攪拌機構によれば、反応液が試料受容セル１９とフロー測光セル２０とにわたって前後に往復移動すると、試料受容セル１９と流路２１の接続部、フロー測光セル２０の入口および出口で、夫々、流路断面が変化しているので、反応液には、図１に示すように、流路断面が変化するこれらの部位で乱流が生じ、乱流が生じる部位が多いため、攪拌が効率よく行われることになる。
【００２１】
次に、血球計数測定部１１は、この実施の形態においては、電気抵抗法により、ＷＢＣ（白血球数）、ＲＢＣ（赤血球数）、ＰＬＴ（血小板数）、ＭＣＶ（赤血球容積）、Ｈｃｔ（ヘマトクリット値）を、また、シアンメトヘモグロビン法における吸光光度法によりＨｇｂ（ヘモグロビン濃度）などをそれぞれ測定するように構成されている。すなわち、図３において、３１はＷＢＣ／Ｈｇｂ血球計数測定セル（以下、単にＷＢＣセルという）で、ＷＢＣを測定するための測定電極３１ａ，３１ｂおよびＨｇｂを測定するための光照射部３１ｃ、受光部３１ｄを備えている。３２はＲＢＣ／ＰＬＴ血球計数測定セル（以下、単にＲＢＣセルという）で、ＲＢＣおよびＰＬＴを測定するための測定電極３２ａ，３２ｂを備えている。これらのセル３１，３２は、図４に示すように、免疫測定部１０における試薬受容セル１９および試薬容器２４〜２６と一直線になるように配置されている。また、ＷＢＣセル３１は、後述するサンプリングノズル４０を洗浄するための廃液チャンバを兼ねている。
【００２２】
さらに、プローブユニット部１３は、例えば次のように構成されている。すなわち、図２および図４において、３３はノズルユニットで、このノズルユニット３３は、垂直に立設されたベース部材３４に沿うようにして水平方向に設けられたタイミングベルト３５に対して適宜の連結部材３６によって固定され、これによって水平方向に往復移動できるように構成されている。
【００２３】
より詳しくは、ノズルユニット３３は、検体セット部５から血球測定を行う血球計数測定部１１までの間で、検体容器４、血球計数測定部１１と一直線上に配設された免疫測定部１０の試薬容器２４〜２６、試薬受容セル１９、ＷＢＣセル３１、ＲＢＣセル３２のほぼ真上を往復移動するように構成されている。３７はタイミングベルト３５を駆動するためのモータ、３８はノズルユニット３３に設けられた被ガイド部材３９をガイドする一対のガイド部材で、これらはベース部材３４に適宜の部材を介して取り付けられている。
【００２４】
４０はサンプリングノズルで、ノズルユニット３３内をタイミングベルト４１によって上下方向に移動するノズル保持体４２に取り付けられている。このサンプリングノズル４０の先端側（下端側）は、ノズルユニット３３内に設けられたサンプリングノズル洗浄器４３を挿通し、先端部外周が洗浄されるように構成されている。４４はタイミングベルト４１を駆動するためのモータである。４５はサンプリングノズル４０がホームポジション位置（定位置）にあるか否かを検出するセンサである。
【００２５】
そして、図３において、４６は装置の各部を総合的に制御するとともに免疫測定部１０および血球計数測定部１１からの出力を用いて各種の演算を行う制御・演算装置としてのマイクロコンピュータ（ＭＰＵ）、４７はＭＰＵ４６からの指令に基づいて電磁弁部１２、プローブユニット部１３のモータ３７，４４などに駆動信号を送るドライバ、４８は免疫測定部１０および血球計数測定部１１からの出力信号を処理してＭＰＵ４６に送る信号処理部、４９はＭＰＵ４６において処理されて得られる結果などを表示する装置で、例えばカラーディスプレイであり、５０は出力装置としてのプリンタである。
【００２６】
なお、図３において、点線は検体３や各種の試薬などの流れを示し、また、やや太い一点鎖線は制御信号を、細い一点鎖線は測定によって得られる信号の流れをそれぞれ示している。
【００２７】
上記構成の全血血球免疫測定装置の動作について、測定手順の一例を示した図６〜図８をも参照しながら説明する。
【００２８】
まず、測定キー６をオンする（ステップＳ１）と、定位置にあるサンプリングノズル４０は、Ｒ２試薬の位置に移動し（ステップＳ２）、Ｒ２試薬を吸引する（ステップＳ３）。この試薬吸引の後、サンプリングノズル４０は、上方に移動し、サンプリングノズル洗浄器４３に供給される洗浄液としての希釈液によってその外面が洗浄される。その後、サンプリングノズル４０は、Ｒ２試薬の位置に復帰する。
【００２９】
次いで、サンプリングノズル４０は、Ｒ１試薬の位置に移動し（ステップＳ４）、Ｒ１試薬を吸引する（ステップＳ５）。この試薬吸引の後、サンプリングノズル４０は、上方に移動し、サンプリングノズル洗浄器４３に供給される洗浄液としての希釈液によってその外面が洗浄される。その後、サンプリングノズル４０はＲ１試薬の位置に復帰する。
【００３０】
そして、サンプリングノズル４０は、検体セット位置に移動し（ステップＳ６）、検体容器４内の検体（全血）３をＣＲＰ測定のために吸引する（ステップＳ７）。この検体吸引の後、サンプリングノズル４０は、上方に移動し、サンプリングノズル洗浄器４３に供給される洗浄液としての希釈液によってその外面が洗浄される。その後、サンプリングノズル４０は検体３の位置に復帰する。
【００３１】
そして、サンプリングノズル４０は、試料受容セル１９位置に移動し（ステップＳ８）、検体３、Ｒ１試薬、Ｒ２試薬を試料受容セル１９内に吐出する（ステップＳ９）。
【００３２】
しかる後、定注器２３が、ストロークａだけ、数回、摺動して、一回目の反応液の攪拌を行う（ステップＳ１０）。
【００３３】
前記吐出を終わったサンプリングノズル４０は、ＷＢＣセル３１位置に移動し（ステップＳ１１）、内部に残留している検体３、Ｒ１試薬、Ｒ２試薬を、ポンプ１７により供給された希釈液とともにＷＢＣセル３１内に吐出する。そして、サンプリングノズル４０は、サンプリングノズル洗浄器４３に供給される洗浄液としての希釈液によってその外面が洗浄される。この洗浄における廃液は、ＷＢＣセル３１に受け止められ、ポンプ１７により廃液容器１８に排出される。再度、サンプリングノズル洗浄器４３より希釈液をＷＢＣセル３１に供給し、ポンプ１７により廃液容器１８に排出することにより、ＷＢＣセル３１を洗浄する。なお、上記廃液の受け止めをＲＢＣセル３２によって行うようにしてもよい。
【００３４】
前記洗浄が終わったサンプリングノズル４０は、検体セット位置に移動し（ステップＳ１２）、検体容器４内の検体３をＣＢＣ測定のために吸引する（ステップＳ１３）。この検体吸引の後、サンプリングノズル４０は、上方に移動し、サンプリングノズル洗浄器４３に供給される洗浄液としての希釈液によってその外面が洗浄される。
【００３５】
前記洗浄が終わったサンプリングノズル４０は、ＷＢＣセル３１内に検体３を吐出する一方、希釈液容器１５内の希釈液が電磁弁部１２を介してＷＢＣセル３１内に所定量注入され、ＣＢＣ検体の一次希釈が行われる（ステップＳ１４）。
【００３６】
ＷＢＣセル３１位置にあるサンプリングノズル４０は、前記一次希釈されたＣＢＣ検体を所定量吸引して、ＲＢＣセル３２に移動し（ステップＳ１５）、前記吸引した一次希釈されたＣＢＣ検体をこのセル３２に吐出する（ステップＳ１６）とともに、希釈液容器１３内の希釈液が電磁弁部１０を介してＲＢＣセル３２内に所定量注入され、ＣＢＣ検体の二次希釈が行われる（ステップＳ１７）。
【００３７】
上記一次希釈、二次希釈を終わった後、溶血剤容器１６内の溶血剤が電磁弁部１２を介してＷＢＣセル３１内に所定量注入され、ＷＢＣとＨｇｂの測定が行われる一方、ＲＢＣセル３２ではＲＢＣとＰＬＴの測定が行われ（ステップＳ１８）、そのときのデータは信号処理部４８を経てＭＰＵ４６に取り込まれる。
【００３８】
前記測定が終わると、ＷＢＣセル３１とＲＢＣセル３２は希釈液で洗浄される（ステップＳ１９）。
【００３９】
上述したように、前記ステップＳ１１〜Ｓ１９は、血球計数測定部１１においてＣＢＣ測定が行われているが、この期間中（約６０秒間）は、試薬受容セル１９内において、検体３、Ｒ１試薬、Ｒ２試薬の間で溶血反応が進行するとともに、妨害物質が除去される。
【００４０】
そして、ＣＢＣ測定が終わると、ＲＢＣセル３２の位置にいたサンプリングノズル４０は、ＷＢＣセル３１の位置に移動し、ポンプ１７によって供給された希釈液でＷＢＣセル３１内面が洗い流すとともに、サンプリングノズル洗浄器４３に供給される洗浄液としての希釈液によってその外面が洗浄される。このときの廃液は、ＷＢＣセル３１に受け止められ、ポンプ１７によって廃液容器１８に排出される。そして、再度、サンプリングノズル洗浄器３９より希釈液をＷＢＣセル３１に供給し、ポンプ１７によって廃液容器１８に排出することでＷＢＣセル３１を洗浄する。その後、サンプリングノズル４０は、Ｒ３試薬の位置に移動し（ステップＳ２０）、Ｒ３試薬を吸引する（ステップＳ２１）。この試薬吸引の後、サンプリングノズル３６は試薬受容セル１９位置に移動し（ステップＳ２２）、Ｒ３試薬を試薬受容セル１９内に吐出し（ステップＳ２３）、Ｒ３試薬が前記検体３、Ｒ１試薬、Ｒ２試薬の反応液内に混入される。
【００４１】
前記Ｒ３試薬の吐出後、サンプリングノズル４０は、ＷＢＣセル３１の位置に移動し、ポンプ１７によって供給された希釈液でＷＢＣセル３１内面を洗い流すとともに、サンプリングノズル洗浄器４３に供給される洗浄液としての希釈液によってその外面が洗浄される。このときの廃液は、ＷＢＣセル３１に受け止められ、ポンプ１７によって廃液容器１８に排出される。そして、再度、サンプリングノズル洗浄器４３より希釈液をＷＢＣセル３１に供給し、ポンプ１７によって廃液容器１８に排出することでＷＢＣセル３１を洗浄する。
【００４２】
そして、定注器２３が、ストロークｂだけ、数回、摺動して、二回目の反応液の攪拌を行い（ステップＳ２４）、免疫反応が生じた時点で定注器２３が、再度、ストロークｂ端まで摺動することにより、反応液をフロー測光セル２０へと流通させて、ＣＲＰ測定が行われ（ステップＳ２５）、そのときのデータは信号処理部４８を経てＭＰＵ４６に取り込まれる。前記測定が終わると、試薬受容セル１９は希釈液で洗浄され（ステップＳ２６）、全ての測定が終わる（ステップＳ２７）。
【００４３】
前記ＭＰＵ４６においては、血球計数測定部１１において行われたＣＢＣ測定によって得られたデータに基づいてＲＢＣ（赤血球数）、赤血球容積（ＭＣＶ）、などの測定値が得られる。また、ＭＰＵ４６においては、免疫測定部１０において行われたＣＲＰ測定によって得られたデータに基づいて、所定時間当たりの吸光度変化を予め既知濃度の血清（または血漿）より求めておいた検量線から、全血中のＣＲＰ濃度が得られる。
【００４４】
この場合、ＣＲＰ測定については、ＣＢＣ測定と同様に検体３として抗凝固剤添加の全血を用いているため、この全血を用いることによって生ずる血漿成分容積誤差を補正する必要がある。そこで、ＣＢＣ測定によって得られるＲＢＣ（赤血球数）と赤血球容積（ＭＣＶ）とからヘマトクリット値（Ｈｃｔ）を求め、このヘマトクリット値を用いて、ＣＲＰ測定によって得られる全血中のＣＲＰ濃度を、下記の補正式によって補正し、血漿中のＣＲＰ濃度を求めるのである。
【００４５】
すなわち、全血中のＣＲＰ濃度をＡとし、ヘマトクリット値をＢとすると、血漿中のＣＲＰ濃度Ｃは、
Ｃ＝Ａ×１００／（１００−Ｂ）
なる式によって求められる。
【００４６】
前記ＭＰＵ４６によって得られた各測定値は、例えばＭＰＵ４６に内蔵されたメモリに記憶される一方、表示装置４９に項目別に表示されたり、プリンタ５０によって出力される。
【００４７】
そして、上述したように、この発明の全血血球免疫測定装置においては、免疫測定部１０において溶血および妨害物質除去反応を起こさせている間に血球計数測定部１１においてＣＢＣ測定を行うようにしているので、ＣＲＰ測定およびＣＢＣ測定のトータル時間を短縮することができるとともに、前述したＣＲＰ測定によって得られる結果を、ＣＢＣ測定によって得られる結果によって行う補正をスムーズに行なえる。
【００４８】
図９は、この発明の別の実施の形態を示し、試薬受容セル１９とフロー測光セル２０を接続する流路２１の途中に、流路断面が大きい流路部分２１ａを設けて、定注器２３で反応液を前後に往復移動させた際に生じる乱流の発生箇所を増やし、攪拌効率を一層向上させた点に特徴がある。その他の構成、作用は、図１〜図８で説明した実施の形態と同じであるため、説明を省略する。
【００４９】
【発明の効果】
この発明によれば、免疫測定に用いる液移動用の定注器を利用して、免疫測定用の試薬および全血試料を効率よく攪拌でき、また、試料受容セル内にプロペラ等の回転子を挿入して反応液の攪拌を行う場合であれば、回転子を洗浄するための手段や回転子を試料受容セルに出し入れする手段と、それらの設置スペースが必要である上、これらの駆動による機械的振動がフロー測光セルによる光学的測定に悪影響を及ぼす可能性が大きいが、この発明の構成によれば、反応液を前後に往復移動させるだけであるから、機械的振動による悪影響がなく、しかも、免疫測定に用いる液移動用の定注器を利用して液の往復移動を行っており、定注器が免疫測定時の液移動と、攪拌時の液移動とに兼用されているので、装置構成のコンパクト化、簡略化が可能である。
【図面の簡単な説明】
【図１】この発明に係る反応液攪拌機構の説明図である。
【図２】全血血球免疫測定装置の一例を、側面パネルを取り外した状態で示す斜視図である。
【図３】前記全血血球免疫測定装置の全体の構成を概略的に示す図である。
【図４】前記全血血球免疫測定装置の要部を上方から見た図である。
【図５】前記全血血球免疫測定装置の要部の構成を概略的に示す図である。
【図６】図７および図８とともに測定手順の一例を示すフローチャートである。
【図７】図６に示した部分に続くフローチャートである。
【図８】図７に示した部分に続くフローチャートである。
【図９】この発明の別の実施の形態を示す反応液攪拌機構の説明図である。
【符号の説明】
１０…免疫測定部、１１…血球計数測定部、１９…試料受容セル、２０…フロー測光セル、２３…定注器。
【図１】
0003866857.tif 000002
【図２】
0003866857.tif 000003
【図３】
0003866857.tif 000004
【図４】
0003866857.tif 000005
【図５】
0003866857.tif 000006
【図６】
0003866857.tif 000007
【図７】
0003866857.tif 000008
【図８】
0003866857.tif 000009
【図９】
0003866857.tif 000010